(57)【要約】【課題】冷却ファン部材を提供する。【解決手段】入口及び出口を有し、且つ出口に設けられるシュラウドパネルを更に含むケースと、空気を入口から出口に吸入するように配置され、ケースの中に設けられる軸流ファンと、を備え、シュラウドパネルは、軸流ファンの気流流路に沿って設けられる複数の切り欠き部と、切り欠き部を分離させるための複数の固定素子と、複数の固定素子の各々に枢転して付着される複数のウィング素子と、を含み、複数のウィング素子の各々は、第１の位置と第２の位置との間で転換するように配置され、且つ第２の位置に位置する場合、実質的に延伸して対応する切り欠き部を覆うように配置される冷却ファン部材。【選択図】図２Ａ
2019120247.tif 000002
【特許請求の範囲】
【請求項１】
入口及び出口を有し、且つ前記出口に設けられるシュラウドパネルを更に含むケースと、
空気を前記入口から前記出口に吸入するように配置され、前記ケースの中に設けられる軸流ファンと、
を備え、
前記シュラウドパネルは、前記軸流ファンの気流流路に沿って設けられる複数の切り欠き部と、前記切り欠き部を分離させるための複数の固定素子と、前記複数の固定素子の各々に枢転して付着される複数のウィング素子と、を含み、
前記複数のウィング素子の各々は、少なくとも前記シュラウドパネルから離れる第１の位置と前記複数の切り欠き部のうちの１つの中にある第２の位置との間で転換するように配置され、
且つ前記ウィング素子は、前記第２の位置に位置する場合、実質的に延伸して対応する前記切り欠き部を覆うように配置される冷却ファン部材。
【請求項２】
前記複数のウィング素子の各々は、少なくとも１つのバイアス素子によってそれに接続する前記固定素子に枢転して付着され、且つ前記軸流ファンが閾値量に達する十分な気流を提供できない場合、前記少なくとも１つのバイアス素子は前記ウィング素子のうちの１つを前記第２の位置に維持するように配置される請求項１に記載の冷却ファン部材。
【請求項３】
前記第１の位置に位置する場合、前記複数のウィング素子の各々及びそれらに接続する前記固定素子は、ステーターブレードを前記シュラウドパネルの中に定義するように配置される請求項１又は請求項２に記載の冷却ファン部材。
【請求項４】
前記軸流ファンは、それぞれファンブレード角度を有する複数のファンブレードを含み、ステーターブレードは、それぞれステーターブレード角度を有し、且つ前記ファンブレード角度が前記ステーターブレード角度に対して少なくとも９０度ずれる請求項１〜３の何れか１項に記載の冷却ファン部材。
【請求項５】
前記切り欠き部は、前記シュラウドパネルに沿って延伸して環状の路径内に位置する請求項１〜４の何れか１項に記載の冷却ファン部材。
【請求項６】
前記ウィング素子又はそれらに接続する前記固定素子は、一つ又は複数の密封素子を含む請求項１〜５の何れか１項に記載の冷却ファン部材。
【請求項７】
気流が前記入口から前記出口に入る場合、前記ウィング素子は前記第２の位置から前記第１の位置に転換するように配置され、
気流が前記出口から前記入口に入る場合、前記ウィング素子は前記第１の位置から前記第２の位置に転換するように配置される請求項１〜６の何れか１項に記載の冷却ファン部材。
【請求項８】
前記バイアス素子は、バネ又はバネ付勢構造を含む請求項２に記載の冷却ファン部材。
【請求項９】
前記バイアス素子は、重力駆動構造を含む請求項２に記載の冷却ファン部材。
【請求項１０】
請求項１〜９の何れか１項に記載の何れの少なくとも１つの冷却ファン部材と、
過熱による損害を避けるために、冷却気流が流れるように配置される少なくとも１つの電子部材と、
を含み、
前記少なくとも１つの冷却ファン部材は、更に、空気が前記電子部材を流れることを促進し、前記電子部材による熱エネルギーを排出するように配置される冷却ファンシステム。
【発明の詳細な説明】
【技術分野】
【０００１】
本発明は、冷却ファン部材に関し、特に、逆流防止機能を有する冷却ファン部材に関する。
【背景技術】
【０００２】
コンピュータシステムは、通常、プロセッサ、ビデオカード、電源及びメモリモジュール等の多数のコンピューティング部材を含む。一般に、ほとんどのコンピューティング部材の作業中に熱が生じるため、コンピューティング部材の過熱を避けるために、コンピューティング部材の温度をある温度範囲内に制御する必要がある。コンピュータシステムは、通常、空気をコンピューティングモジュール内で循環させるための冷却ファンを含む。大部分のコンピュータシステムでは、冷却ファン及びコンピューティング部材は、循環気流がコンピューティング部材による熱をコンピュータシステムから排出させるように配置される。
【０００３】
あるコンピューターシステムの設計において、数多くのファンは、コンピュータシステムを冷却するように設けられる。例えば、複数のファンは、コンピュータシステムを通る均一な気流を提供するように、コンピュータシステムの一辺に沿って並んで配置される。しかしながら、ファンの1つが故障したり不明な理由で作業を停止したりすると、コンピュータシステムを通る空気の流れが不均一になり、1つ又は複数のコンピューティング部材が過熱になる。
【０００４】
あるコンピュータシステムでは、ファンが故障した場合や作業しない場合でも、気流を均一に保つことができるように、ファンのそばにブラインドや可動シャッターが配置されている。可動シャッターやブラインドを閉じることで、同じ目的や効果を達成させることも可能である。しかしながら、ブラインドや可動シャッターの配置は、コンピュータシステム内の貴重なスペースを占有し、コンピュータシステムのサイズを増大させる。また、ブラインドや可動シャッターの配置は、ファンからハードウェア部材への冷却気流の流れを妨害することもある。さらに悪いことに、逆流が発生し、停止したファンを通って、ファンの下流部材への気流をさらに減少させる可能性がある。
【発明の概要】
【発明が解決しようとする課題】
【０００５】
従って、ファンが停止すると、停止したファンを迅速かつ容易に覆うことができ、少なくとも、ハードウェア部材を通る気流を遮断することで、空気がファンを通って反対方向に沿って流れることを防止することができる冷却ファンを必要とする。
【課題を解決するための手段】
【０００６】
本発明の一実施形態において、冷却ファン部材は、入口及び出口を有し、且つ出口に設けられるシュラウドパネル（shroud panel）を更に含むケースと、空気を入口から出口に吸入するように配置され、ケースに設けられる軸流ファンと、を備え、前記シュラウドパネルは、軸流ファンの気流流路に沿って設けられる複数の切り欠き部（cut out portion）と、切り欠き部を分離させるための複数の固定素子と、複数の固定素子の各々に枢転して付着される複数のウィング素子と、を含み、複数のウィング素子の各々は、シュラウドパネルから離れる第１の位置と複数の切り欠き部のうちの１つの中にある第２の位置との間で転換するように配置され、且つウィング素子は、第２の位置に位置する場合、実質的に延伸して対応する切り欠き部を覆うように配置される。
【０００７】
本発明の１つ又は複数の実施形態において、前記ウィング素子は、少なくとも１つのバイアス素子によってそれに接続する固定素子に枢転して付着され、且つ軸流ファンが閾値量に達する十分な気流を提供できない場合、バイアス素子はウィング素子のうちの１つを第２の位置に維持するように配置される。
【０００８】
本発明の１つ又は複数の実施形態において、前記ウィング素子が第１の位置にある場合、複数のウィング素子の各々及びそれらに接続する固定素子は、ステーターブレードをシュラウドパネルの中に定義するように配置される。
【０００９】
本発明の１つ又は複数の実施形態において、前記軸流ファンは、それぞれファンブレード角度を有する複数のファンブレードを含み、ステーターブレードがそれぞれステーターブレード角度を有し、ファンブレード角度とステーターブレード角度とは、互いに少なくとも９０度ずれる。
【００１０】
本発明の１つ又は複数の実施形態において、前記切り欠き部は、シュラウドパネルに沿って延伸して環状の路径内に位置する。
【００１１】
本発明の１つ又は複数の実施形態において、前記ウィング素子又はそれらに接続する固定素子は、１つ又は複数の密封素子を含む。
【００１２】
本発明の１つ又は複数の実施形態において、気流が入口から出口に流れる場合、ウィング素子は第２の位置から第１の位置に転換するように配置され、気流が出口から入口に流れる場合、ウィング素子は第１の位置から第２の位置に転換するように配置される。
【００１３】
本発明の１つ又は複数の実施形態において、前記バイアス素子は、バネ又はバネ付勢構造を含む。
【００１４】
本発明の１つ又は複数の実施形態において、前記バイアス素子は、重力駆動構造を含む。
【００１５】
本発明の別の実施形態において、冷却ファンシステムは、前記冷却ファン部材と、過熱による損害を避けるために、冷却気流が流れるところに配置される電子部材と、を含み、且つ前記冷却ファン部材は、空気が電子部材を流れることを促進し、電子部材による熱エネルギーを排出するように配置される。
【００１６】
上記は、本発明が解決しようとする課題、課題を解決するための手段、及び発明の効果等を記述するためのものであり、本発明の具体的な細部を、下記の実施形態及び関連する図面において詳しく説明する。
【図面の簡単な説明】
【００１７】
下記添付図面の説明は、本発明の上記及び他の目的、特徴、メリット及び実施例をより分かりやすくするためのものである。
【図１Ａ】従来技術による冷却ファン部材を示す側面図である。
【図１Ｂ】図１Ａにおける冷却ファン部材の入口を示す模式図である。
【図１Ｃ】図１Ａにおける冷却ファン部材の出口を示す模式図である。
【図２Ａ】本発明の一実施形態に係る冷却ファンを示す側面図である。
【図２Ｂ】ウィング素子が気流の冷却ファン部材への流れを防止するように配置される時の冷却ファンを示す側面図である。
【図３Ａ】本発明の別の実施形態に係るウィング素子が気流の冷却ファン部材への流れを可能にするように配置される時の冷却ファン部材を示す模式斜視図である。
【図３Ｂ】ウィング素子は気流が冷却ファン部材を流れること防止するように配置される時の冷却ファン部材を示す模式斜視図である。
【図３Ｃ】ウィング素子が気流の冷却ファン部材への流れを可能にするように配置される時の冷却ファン部材を示す側面図である。
【図３Ｄ】ウィング素子が気流の冷却ファン部材への流れを防止するように配置される時の冷却ファン部材を示す側面図である。
【図４】本発明の一実施形態に係るコンピューターシステムにおける冷却ファン部材の配置を示す模式図である。
【発明を実施するための形態】
【００１８】
以下、図面で本発明の複数の実施形態を開示するが、明らかに説明するために、多くの実際的な細部は、以下の説明において併せて説明する。しかしながら、了解すべきなのは、これらの実際的な細部は、本発明を制限するためのものではない。即ち、本発明の実施形態の一部において、これらの実際的な細部は非必要であるものである。又、図面を簡略化するために、幾つかの従来慣用の構造と素子は、図面において簡単で模式的に描画されるものである。
【００１９】
本発明は、所望の方向への気流の流れのみを可能にする冷却ファン部材に関する。冷却ファンは、パソコン、サーバシステム、ノートパソコン、タブレットコンピューター又は他の如何なる形態の電子コンピューターシステム内に設けられてよい。上記の従来技術の内容に説明されるように、現在の冷却ファンの設計は、追加の部材なしで、大きな体積を必要としなく、又は逆流を回避する場合、安定した均一な気流を提供することはできない。
【００２０】
現在の冷却ファンの不足に鑑みて、本発明は、逆流を防止できる冷却ファン部材を提案する。特に、逆流防止素子を含む冷却ファンを提案する。ファンが作業する時に、これらの逆流防止素子は、気流の正の圧力によって第１の位置に上げられて、気流がファンを流れることを可能にする。ファンの作業が中止する時に、これらの逆流防止素子は、逆流が作業中止のファンを流れることを阻止するように、第２の位置に転換するように配置される。
【００２１】
図１Ａ〜図１Ｃを参照されたい。図１Ａ〜図１Ｃは、従来技術の冷却ファン部材１００を示す。図１Ａは、従来技術の冷却ファン部材１００を示す側面図である。図１Ｂは、図１Ａにおける冷却ファン部材１００の入口１０２ａを示す模式図である。図１Ｃは、図１Ａにおける冷却ファン部材１００の出口１０２ｂを示す模式図である。冷却ファン部材１００は、ケース１０２を含む。ケース１０２は、入口１０２ａ及び出口１０２ｂを有する。冷却ファン部材１００は、シュラウドパネル１０４、軸流ファン１０６、ファンブレード１０８、切り欠き部１１０及びステーターブレード１１２を更に含む。
【００２２】
シュラウドパネル１０４は、気流を冷却ファン部材１００から離れさせるための出口１０２ｂを含む。図１Ａ〜図１Ｃに示すように、シュラウドパネル１０４は、複数のステーターブレード１１２及び複数の切り欠き部１１０からなり、且つ冷却ファン部材１００の外部に設けられる。軸流ファン１０６は、空気を入口１０２ａから入らせて、冷却ファン部材１００を通って出口１０２ｂへ流れさせるようにガイドするように配置される。軸流ファン１０６は、複数のファンブレード１０８を含む。作業時に、軸流ファン１０６は、ファンブレード１０８を回転するように連動させて、気流を入口１０２ａから吸収して出口１０２ｂから排出する。出口１０２ｂにおいて、冷却ファン部材１００を流れる気流は、シュラウドパネル１０４の切り欠き部１１０を通り、且つ更にステーターブレード１１２によってガイドされる。ステーターブレード１１２は、ファンブレード１０８に対して角度を形成する。例として、図１Ａにおける点線に示すように、ステーターブレード１１２は、ファンブレード１０８に対して９０度の角度になる。
【００２３】
冷却ファン部材１００は、軸流ファン１０６の作業が中止すると、逆流防止の構造がなく、つまり、気流が出口１０２ｂから入口１０２ａに戻るという欠点がある。本発明は、逆流の問題を解決するように、逆流を防止可能な新規なファン部材設計を提供する。
【００２４】
図２Ａ、図２Ｂを参照されたい。図２Ａは、本発明の一実施形態に係る冷却ファン部材２００を示す側面図である。図２Ｂは、ウィング素子２１６が気流の冷却ファン部材２００への流れを防止するように配置される冷却ファン部材２００を示す側面図である。冷却ファン部材２００は、ケース２０２及び軸流ファン２０６を含む。ケース２０２は、入口２０２ａ及び出口２０２ｂを有する。ケース２０２は、出口２０２ｂに設けられるシュラウドパネル２０４を更に含む。シュラウドパネル２０４は、複数の切り欠き部２１０、複数の固定素子２１４、複数のウィング素子２１６及びバイアス素子２１８を含む。軸流ファン２０６は、複数のファンブレード２０８を含む。冷却ファン部材２００が作業する時に、ウィング素子２１６は第１の位置（図２Ａ）と第２の位置（図２Ｂ）との間で転換するように配置される。ウィング素子２１６が図２Ａに示す第１の位置にある場合、気流は冷却ファン部材２００を流れることができる。ウィング素子２１６が図２Ｂに示す第２の位置にある場合、ウィング素子２１６は、気流が出口２０２ｂから入口２０２ａに流れることを阻止するように配置される。以下、更に詳しく説明する。
【００２５】
図１Ａ〜図１Ｃにおける冷却ファン部材１００に示すように、図２Ａ、図２Ｂにおけるケース２０２は、入口２０２ａ及び出口２０２ｂを有し、空気が入口２０２ａから冷却ファン部材２００を通り、出口２０２ｂから流出する。好ましくは、本実施形態において、ファンブレード２０８は、回転して空気を入口２０２ａから吸収して冷却ファン部材２００を流れてから、出口２０２ｂから排出する。
【００２６】
図１Ａ〜図１Ｃにおけるシュラウドパネル１０４のように、図２Ａ、図２Ｂにおけるシュラウドパネル２０４は、固定素子２１４を含む。固定素子２１４は、切り欠き部２１０を分離させるために動かない。従って、気流が冷却ファン部材２００の何れの方向を流れるかに関わらず、固定素子２１４の位置は一定である。図２Ａ、図２Ｂに示すように、固定素子２１４は、ウィング素子２１６に枢転可能に付着されるが、ある実施形態において、あるウィング素子２１６は互いに接続する固定素子２１４を有しないことがある。例として、図２Ａ、図２Ｂの上方に示すウィング素子２１６のように、それに付着される固定素子２１４はない。作業中に、ウィング素子２１６は、シュラウドパネル２０４から延伸し又は離れるところ或いは「開く」と称される第１の位置（図２Ａ）と、切り欠き部２１０内に戻り或いは「閉じる」と称される第２の位置（図２Ｂ）との間で転換することができる。図２Ａ、図２Ｂの配置において、複数のウィング素子２１６の各々と少なくとも１つの切り欠き部２１０とは、相関性がある。具体的に、複数のウィング素子２１６の各々は、第２の位置にある場合、実質的に延伸して対応する切り欠き部２１０を覆うように配置される。このように、ウィング素子２１６が第２の位置にある場合、冷却ファン部材２００を流れようとする気流は、逆流を含むので、ウィング素子２１６によって遮断されて冷却ファン部材２００を通ることができない。
【００２７】
図２Ａ、図２Ｂを引き続き参照されたい。バイアス素子２１８は、ウィング素子２１６に付着されるように配置される。且つウィング素子２１６は、バイアス素子２１８によってウィング素子２１６に接続する固定素子２１４に枢転可能に付着される。バイアス素子２１８が枢転軸として配置されるため、ウィング素子２１６は、第１の位置と第２の位置との間で転換することができる。ある実施形態において、バイアス素子２１８は、各種の形態に配置されてよい。例として、バイアス素子２１８は、冷却ファン部材２００（入口２０２ａから出口２０２ｂへ）を通る順方向気流に対応するように配置されるバネ型又はバネ付勢型構造であってよい。この構造設計において、バネ型又はバネ付勢型構造のバイアス素子２１８は、ウィング素子２１６をそれぞれに対応する切り欠き部２１０へずれさせるように配置されてよい。ある実施形態において、バイアス素子２１８は、冷却ファン部材２００を通る順方向気流に対応するように配置される重力又は重量駆動構造であってよい。この構造設計において、ウィング素子２１６のある部分を選択して重くして、このように、順方向気流がない時に、重くされた部分によってウィング素子２１６は、それぞれに対応する切り欠き部２１０へずれる。以上、例として説明したが、同じ効果を達成可能な如何なる他の形態のバイアス素子２１８も、本発明に適用されることができるが、これに限定されない。
【００２８】
ある実施形態において、冷却ファン部材１００のステーターブレード１１２のように、ウィング素子２１６が第１の位置にある場合、ウィング素子２１６及びそれに接続する固定素子２１４がシュラウドパネル２０４においてステーターブレードを定義するために、固定素子２１４とウィング素子２１６との形を選択してよい。
【００２９】
ある実施形態において、密封素子は、冷却ファン部材２００に含まれてよい。具体的に、ウィング素子２１６、切り欠き部２１０又はこれら両方は、気流が第２の位置にある時の流れを更に減少するように、密封素子を含む。例として、ウィング素子２１６は、その周辺を囲むフレキシブルエッジを含んでもよく、これによって、ウィング素子２１６が第２の位置にある場合、気流は効果的に阻止される。同様に、切り欠き部２１０は、類似的な特徴を含んでもよい。
【００３０】
ここで、ウィング素子２１６とそれに対応する切り欠き部２１０を例示的に説明するが、本発明はこれに限定されない。ある実施形態において、複数のウィング素子２１６は、同じ切り欠き部２１０と対応してよいため、すべてのウィング素子２１６が閉じる第２の位置にある場合、気流は、阻止されて前記ウィング素子２１６の対応する切り欠き部２１０から通ることができない。
【００３１】
図２Ａに示すように、ウィング素子２１６と別の固定素子２１４とは、切り欠き部２１０によって等距離で分離される。しかしながら、本発明はこれに限定されなく、つまり、ウィング素子２１６と別の固定素子２１４とは、等距離で分離されなくてもよい。
【００３２】
図３Ａ〜図３Ｄは、本発明の別の実施形態に係る冷却ファン部材３００を示す模式図である。冷却ファン部材３００は、気流が電子部材を通るように配置される。理解すべきなのは、冷却ファン部材３００は、本実施形態の目的及び効果を説明するためのものだけであるが、本発明を制限するものではない。
【００３３】
冷却ファン部材３００は、ケース３０２及び軸流ファン３０６を含む。ケース３０２は、入口３０２ａ及び出口３０２ｂを有する。ケース３０２は、シュラウドパネル３０４を更に含む。シュラウドパネル３０４は、複数の切り欠き部３１０、複数の固定素子３１４、複数のウィング素子３１６及びバイアス素子３１８を含む。ケース３０２は、冷却ファン部材３００を支持することに用いられる。軸流ファン３０６は、複数のファンブレード３０８を含む。ファンブレード３０８は、回転するように配置されて空気を入口３０２ａから吸収し、出口３０２ｂから排出する。シュラウドパネル３０４は、窓を有する。窓は、空気を出口３０２ｂから排出することに用いられ、且つ軸流ファン３０６とウィング素子３１６、固定素子３１４とバイアス素子３１８との間の付着ブリッジとされる。
【００３４】
ウィング素子３１６は、バイアス素子３１８によって固定素子３１４に付着される。バイアス素子３１８は、ウィング素子３１６の第１の位置（図３Ａ、図３Ｃに示す）と第２の位置（図３Ｂ、図３Ｄに示す）との間の転換を可能にするように配置される。軸流ファン３０６がパワーを受けてファンブレード３０８を回転させる場合、冷却ファン部材３００を流れる気圧は、ウィング素子３１６を外へ開かせる（図３Ａ、図３Ｃに示す）。軸流ファン３０６がある原因で停電する場合、バイアス素子３１８は、ウィング素子３１６を第２の位置の閉じる状態に転換することを促進して、気流が冷却ファン部材３００（図３Ｂ、図３Ｄに示す）に流入又はこれから流出することを避けることができる。
【００３５】
より詳しくは、図３Ａは、ウィング素子３１６が冷却ファン部材３００を通る気圧によって外へ延伸することを示す。本実施形態において、図３Ａは、９つのウィング素子３１６を示すが、本発明はこれらに限定されない。ウィング素子３１６の数は、実際の状況に応じて増減してよいが、少なくとも１つである。本実施形態において、ウィング素子３１６は、ファンブレード３０８のような取り囲み形態で、円状又は環状のパターンで軸流ファン３０６を囲んで配置される（図３Ｃ）。
【００３６】
図３Ｂを参照されたい。冷却ファン部材３００は、図３Ａにおける冷却ファン部材３００と同じ角度で示される。しかしながら、図３Ｂにおけるウィング素子３１６は閉じる第２の位置にある。冷却ファン部材３００を通る気流がない場合、ウィング素子３１６は、バイアス素子３１８によって第２の位置に枢転されてよい。又は、軸流ファン３０６の作業中止時に、又は閾値量までの十分な気流を提供できない時に、ウィング素子３１６が第２の位置に転換して快速に閉じるように、バイアス素子３１８は、バネ部材を含んでもよい。ウィング素子３１６は、気流が出口３０２ｂから入口３０２ａに入る時に快速に閉じるように配置されてもよい。バイアス素子３１８は、軸流ファン３０６が閾値量の気流を提供できるまで、ウィング素子３１６を第２の位置に維持するように配置される。
【００３７】
第２の位置にある場合、ウィング素子３１６は、実質的に延伸してシュラウドパネル３０４の対応する切り欠き部３１０を覆うように配置される。これによって、気流が冷却ファン部材３００を通ることを阻止する。なお、上記のように、ウィング素子３１６又はケース３０２は、冷却ファン部材３００に気密カバーを提供する密封素子を含んでもよい。例として、密封素子は、複数のウィング素子３１６の各々外縁、又はシュラウドパネル３０４の内縁、又は軸流ファン３０６の外縁、又はそれらの任意の組み合わせに設けられてよい。密封素子は、逆流が冷却ファン部材３００を通ることを避けるように、追加の保護を提供してよい。密封素子は、完全に気密でなくてもよく、ある逆流が通ることを可能にするが、これらの逆流の流量が軸流ファン３０６の逆回転に不十分である。
【００３８】
図３Ｃを参照されたい。図３Ｃは、ウィング素子３１６が気流の冷却ファン部材３００への流れを可能にするように配置される時の冷却ファン部材３００を示す側面図である。この角度から明らかに見られるように、ファンブレード３０８は、ウィング素子３１６に対して、開く状態での第１の位置にある場合、互いに少なくとも９０度ずれる。このような構造設計で、気流が切り欠き部３１０を直接通る時に、少なくともウィング素子３１６からの抵抗を受けることを可能にする。従って、ウィング素子３１６が第１の位置にある場合、気流が最も効果的に冷却ファン部材３００を流れることができる。
【００３９】
図３Ｄを参照されたい。図３Ｄは、ウィング素子３１６が気流の冷却ファン部材３００への流れを防止するように配置される時の冷却ファン部材３００を示す側面図である。ウィング素子３１６が閉じる状態での第２の位置にある場合、ウィング素子３１６は、対応する切り欠き部３１０を覆うように、ケース３０２と面一になる。
【００４０】
サーバシステム又は他のコンピューターシステムにおいて、システム全体の部材を冷却するために１つ以上の冷却ファンを必要とする。冷却ファンは、冷却気流が異なる部材を流れるように、システムと平行して設けられてよい。このように、１つの冷却ファンだけを使用する場合と比べると、システムは、より優れた冷却効率を得る。しかしながら、１列のファンのうちの1つが作業中止になる場合、他のファンからの気流により逆流が作業中止になるファンを流れることを引き起こす。ファンシステムの冷却能力がこれにより低下し、且つ電子部材が過熱になるのは、電子部材による熱がコンピューターシステムに吸収されるためである。
【００４１】
本発明に開示した冷却ファン部材によれば、逆流が作業中止となるファンを流れることを避けることができる。冷却ファンが作業中止となる場合、ウィング素子が閉じてステーターブレードと密封素子を形成でき、これによって、逆流は、反対する方向から作業中止となるファン部材を流れることができない。従って、本発明に開示した冷却ファン部材は、電子部材を冷却するために１つ以上の冷却ファンを必要とするサーバシステムに用いられてよい。冷却ファン部材がいつ作業中止となるかに関わらず、閉じるウィング素子により、逆流の発生を避け、電子部材に対する最大の冷却効率を維持することができる。１つ又は複数の冷却ファンファンが作業中止となっても、空気は、依然として順方向に流れて、継続的に過熱の電子部材を冷却する。
【００４２】
図４を参照されたい。図４は、本発明の一実施形態に係るコンピューターシステム４００における冷却ファン部材４０４の配置を示す模式図である。コンピューターシステム４００は、ディスクストレージユニット４０２、冷却ファン部材４０４、メモリモジュール４０６、処理ユニット４０８、電源４１０及びネットワークコネクタ４１２を含む。処理ユニット４０８及びメモリモジュール４０６は、電子部材に大量の電子信号が通ることによる大量の熱があるため、他の部材よりも冷却を必要とする。従って、冷却ファン部材４０４は、空気をメモリモジュール４０６及び処理ユニット４０８へ移動させるようにガイドするように、コンピューターシステム４００の幅に亘って１列に設けられてもよい。気流は、例えば、電源４１０及びネットワークコネクタ４１２のような如何なる他のコンピューター部材を通ることによって、コンピューターシステム４００から離れてよい。任意の１つの冷却ファン部材４０４が作業中止となる場合、閉じるウィング素子３１６は、熱空気が逆方向にディスクストレージユニット４０２に戻ることを避けることができる。
【００４３】
本発明の実施形態を前述の通りに開示したが、これは、本発明を限定するものではなく、当業者であれば、本発明の精神と範囲から逸脱しない限り、多様の変更や修飾を加えてもよく、従って、本発明の保護範囲は、後の特許請求の範囲で指定した内容を基準とするものである。
【００４４】
また、本発明に開示された技術的特徴は、いずれかの実施形態のみに開示されているが、同じ目的及び効果を達成するために、前記技術的特徴を他の技術的特徴と組み合わせる形態で他の実施形態に適用されることもできることを理解されたい。
【００４５】
本文において、正文で冠詞に対して特別に限定されない限り、「一つ」と「前記」は、単一又は複数を総括して指してもよい。更に理解すべきなのは、本明細書に用いる「備える」、「含む」、「有する」及び類似用語については、それが記載される特徴、領域、整数、工程、操作、素子及び／又は部材を明らかにするが、その記述された又は別の１つ又は複数の他の特徴、領域、整数、工程、操作、素子、部材、及び／又はそれらの群は排除されない。
【００４６】
なお、本明細書で使用される全ての用語（技術用語及び科学用語を含む）は、当業者によって一般的に理解されることと同じ意味を有する。一般的な辞書に定義されているような用語は、関連する技術分野の記事と同じ意味を持ち、過度に形態的又は理想化されたものと解釈されるべきではないことを理解されたい。
【符号の説明】
【００４７】
１００、２００、３００、４０４  冷却ファン部材
１０２、２０２、３０２  ケース
１０２ａ、２０２ａ、３０２ａ  入口
１０２ｂ、２０２ｂ、３０２ｂ  出口
１０４、２０４、３０４  シュラウドパネル
１０６、２０６、３０６  軸流ファン
１０８、２０８、３０８  ファンブレード
１１０、２１０、３１０  切り欠き部
１１２  ステーターブレード
２１４、３１４  固定素子
２１６、３１６  ウィング素子
２１８、３１８  バイアス素子
４００  コンピューターシステム
４０２  ディスクストレージユニット
４０６  メモリモジュール
４０８  処理ユニット
４１０  電源
４１２  ネットワークコネクタ
【図１Ａ】
2019120247.tif 000003
【図１Ｂ】
2019120247.tif 000004
【図１Ｃ】
2019120247.tif 000005
【図２Ａ】
2019120247.tif 000006
【図２Ｂ】
2019120247.tif 000007
【図３Ａ】
2019120247.tif 000008
【図３Ｂ】
2019120247.tif 000009
【図３Ｃ】
2019120247.tif 000010
【図３Ｄ】
2019120247.tif 000011
【図４】
2019120247.tif 000012